(57)【要約】      （修正有）【課題】パッティング技術を向上させるためのゴルフパッティング練習装置を提供する【解決手段】パッティング練習又は訓練装置は、細長い平坦部材を備え、この部材にゴルフボールのパッティング経路を示す線が引かれている。この平坦部材のパッティング経路上の一端にある穴にゴルフボールを置く。その後ゴルフ用パターを用いこのゴルフボールを、平坦部材に表示されているパッティング経路に沿って転がるように打つ。うまく打つことができたボールはパッティング経路に沿って転がり、打ち損じたボールは平坦部材から転がり落ちる。【選択図】図１
2017000726.tif 000002
【特許請求の範囲】
【請求項１】
両端の第１の端部と第２の端部の中央に第１および第２の穴が配置された細長中央部と、前記細長中央部の前記第１の端部に垂直な横行部とを有するＴ字型の平坦部材と、
前記細長中央部に表示されて前記第１および第２の穴を横切る中心線と、
前記横行部に表示されて、前記第１の穴および前記細長中央部の両側の前記横行部にある複数対の離散貫通穴を前記中心線に垂直に横切る横線と
を備える装置。
【請求項２】
前記複数対の離散貫通穴のそれぞれは一対の離散ゴルフティーを収容して、パターヘッドの位置合わせ通路を規定するように構成されている、請求項１に記載の装置。
【請求項３】
前記細長中央部は、前記横線の傍かつ前記第１の穴と前記第２の穴の間で前記中心線上に第３の穴を有する、請求項１または２に記載の装置。
【請求項４】
前記細長中央部は面取りが施された側端を有する、請求項１〜３のいずれか１項に記載の装置。
【請求項５】
前記Ｔ字型の平坦部材は凹凸のある上面を有する、請求項１〜４のいずれか１項に記載の装置。
【請求項６】
前記Ｔ字型の平坦部材はプラスチック製である、請求項１〜５のいずれか１項に記載の装置。
【請求項７】
細長中央部および前記横行部はプラスチック成形により一体的に形成されている、請求項１〜６のいずれか１項に記載の装置。
【請求項８】
請求項１〜７のいずれか１項に記載の装置を用いるパッティングの練習を含む方法。
【発明の詳細な説明】
【技術分野】
【０００１】
本発明は、ゴルフのパッティング技術を向上させるためのパッティング練習装置に関する。
【背景技術】
【０００２】
ゴルフのパッティング練習又は訓練装置は、一般に細長い平坦部材を備え、この部材にゴルフボールのパッティング経路を示す線が引かれている。この平坦部材のパッティング経路上の一端にある穴にゴルフボールを置く。その後ゴルフ用パターを用いこのゴルフボールを、平坦部材に表示されているパッティング経路に沿って転がるように打つ。うまく打つことができたボールはパッティング経路に沿って転がり、打ち損じたボールは平坦部材から転がり落ちる。
【０００３】
既存のゴルフパッティング練習装置にはいろいろな欠点がある。例えば、一般に既存の練習装置では、ボールを打つとき、パターヘッドすなわちフェースを、意図したパッティング経路に垂直に（すなわち直角に）なるように構えて練習することはできない。その結果、パターヘッドがボールに当たるときに、パターフェースの角度およびスイング経路がパッティング経路に直角でない場合には、打ち損じや直角からのずれ、中心からのずれが生じる。さらに、既存のゴルフパッティング練習装置では一般に、平坦部材に沿った一方向のパッティング技術しか練習できない。
【０００４】
そのため、改良されたゴルフパッティング練習装置が必要である。
【発明の概要】
【課題を解決するための手段】
【０００５】
本発明によれば、
両端の第１の端部と第２の端部の中央に第１および第２の穴が配置された細長中央部と、細長中央部の第１の端部に垂直な横行部とを有するＴ字型の平坦部材と、
細長中央部に表示されて第１および第２の穴を横切る中心線と、
横行部に表示されて、第１の穴および細長中央部の両側の横行部にある複数対の離散貫通穴を横切り中心線に直角な横線と
を備える装置が提供される。
【０００６】
複数対の離散貫通穴のそれぞれは、一対の離散ゴルフティーを収容してパターヘッドの位置合わせ通路を規定するように構成されてもよい。
【０００７】
細長中央部は、横線の傍かつ第１の穴と第２の穴の間で中心線上に第３の穴を有してもよい。
【０００８】
細長中央部は面取りが施された側端を有してもよい。
【０００９】
Ｔ字型の平坦部材は凹凸のある上面を有してもよい。
【００１０】
Ｔ字型の平坦部材はプラスチック製でもよい。
【００１１】
細長中央部および横行部はプラスチック成形により一体的に形成されてもよい。
【００１２】
本発明は、上記装置を用いるパッティングの練習を含む方法も提供する。
【図面の簡単な説明】
【００１３】
本発明の複数の実施形態が、添付図面を参照して単に例示的に記述される。
【図１】本発明の一実施形態によるゴルフパッティング練習装置の上面図である。
【図２】図１のＡ−Ａに沿った本装置の断面図である。
【図３】本装置の上部斜視図である。
【発明を実施するための形態】
【００１４】
添付図を参照すると、本発明の一実施形態によるゴルフパッティング練習装置１０がＴ字型の平坦部材１０を備える。平坦部材１０は細長中央部１２を有し、細長中央部１２には、両側の第１および第２の端部の中央に第１の穴１４および第２の穴１６が配置されている。細長中央部の上面に中心線１８が表示されていて、第１の穴１４および第２の穴１６を横切っていてもよい。Ｔ字型の平坦部材１０はさらに、細長中央部１２の第１の端部に垂直な横行部２０を備えてもよい。横行部２０の上面に横線２２が表示されていて、第１の穴１４および細長中央部１２の両側にある中心線１８に直角な横行部２０上の複数対の離散貫通穴２４を横切っていてもよい。複数対の離散貫通穴２４は、例えば、三対の離散貫通穴２４でもよい。中心線１８でゴルフボール（図示せず）のパッティング経路を規定してもよく、横線２２でゴルフパター（図示せず）のヘッドすなわちフェースの位置合わせ線を規定してもよい。中心線１８および横線２２は塗料で描かれた線でも、印刷された線でもよい。
【００１５】
複数対の離散貫通穴２４のそれぞれは、一対の離散ゴルフティー又はペグ（図示せず）を収容して、パターヘッド（図示せず）の位置合わせ通路２６を規定するように構成されてもよい。各貫通穴２４はゴルフティーを収容するのに十分な直径、例えば約５.５ｍｍを有してもよい。位置合わせ通路２６の幅は、異なる対の離散貫通穴２４に一対のゴルフティーを挿入することによって、種々の幅のパターヘッドを受け入れるように選択的に変えられてもよい。
【００１６】
細長中央部１２は、中心線１８上でかつ横線２２の傍で第１の穴１４と第２の穴１６の間に、第３の穴２８を有してもよい。第１の穴１４、第２の穴１６、および第３の穴２８はそれぞれ、ゴルフボールを細長中央部１２上に保持し、かつ細長中央部１２に沿って自由に打ち出すのに十分な深さと直径を有してもよい。例えば、第１の穴１４、第２の穴１６、および第３の穴２８は約５.５ｍｍの直径を有する貫通穴でもよい。
【００１７】
細長中央部１２および必要ならＴ字型の平坦部材１０は、例えば３ｍｍ、４５度の面取りが施された側端を有してもよい。Ｔ字型の平坦部材１０は、例えば表面を粗く仕上げた凹凸が付けられた上面を有してもよい。Ｔ字型の平坦部材１０はプラスチック製でもよい。例えば、細長中央部１２および横行部２０はプラスチック成形により一体的に形成されてもよい。他の等価なまたは別の材料および構造を用いてもよい。
【００１８】
装置１０は異なる３つの方法で使用することができる。第１の方法では、Ｔ字型の平坦部材１０は、例えばパッティング芝、絨毯、地面、または他の平坦な面に置かれてもよい。装置１０の細長中央部１２の第１の端部にある第１の穴１４に、ゴルフボールを置いてもよい。第１の穴１４は、ボールが動かないように構成されてもよいが、練習者（図示せず）のパッティング動作を邪魔しない。次に練習者が細長中央部１２に平行に立ち、ボールをパターで操作してもよい。練習者がパターヘッドを細長中央部１２の中心線１８に直角に配置しているか目視確認できるように、横行部２０上の横線２２を位置合わせの目印としてもよい。次にボールを細長中央部１２に沿った第１の方向Ａに打ってもよく、正しく打てば、ボールは中心線１８で規定された細長中央部１２に沿ったパッティング経路を進むことになる。ボールが正しい位置からわずかでも外れて（すなわち直角からずれたり、あるいは中心がずれたりして）打たれると、ボールは中心線１８の左右どちらかに進み、４５度の面取りが施された側端に当たり細長中央部１２を外れてしまう。
【００１９】
第２の使用方法では、ボールは装置１０の第３の穴２８に置かれてもよく、第１の穴１４の両側の三対の離散貫通穴２４のうちの一対に一対のゴルフティーが離れて挿入されている。この一対のゴルフティーで、パターヘッドすなわちフェースを揃える位置合わせ通路２６を規定してもよい。一対のゴルフティーの間隔は練習者のパターヘッドの幅によって決まる。第１の方法における上記パターヘッドを直角にするための基本原理と同じ原理が、この第２の方法に応用されるが、その場合は複数対の貫通穴２４の全てを通過している横線２２が補助になる。パターを正しく振ればパターは対の離散ゴルフティーの間を通過し、ボールを正しく叩いて細長中央部１２の中心線１８に沿って真っ直ぐにパットをすることができる。パターヘッドが左右のどちらかに片寄ってボールに近づくと、パターヘッドは対の離散ゴルフティーの一方に当たってしまう。
【００２０】
練習者が上記の第１および第２の方法の使用を習得したら、装置１０を第３の方法で使用してもよい。第３の方法では、ボールを細長中央部１２の反対側の第２の端部にある第２の穴１６に置くことができる。この第２の穴１６には、パターヘッドすなわちフェースを直角にするための線がない。次にボールを、第１の方法の使用で説明した方向と反対方向である細長中央部１２に沿った第２の方向Ｂに打ってもよい。その目的はここでも同じく、ボールがどちらか片方に外れることなく装置１０の全長に沿うように打つことである。
【００２１】
本発明の複数の実施形態は、改良されたゴルフパッティング練習装置を提供する。このゴルフパッティング練習装置は、パッティング練習のための３つの異なる方法および２つの異なるパッティング方向で使用することができる。
【００２２】
本明細書では、「備えている／含んでいる」は「それを含むがそれに限定しない」を意味し、「備える／含む」は対応した意味を有する。
【００２３】
上記複数の実施形態は単に例示的に説明されており、以下の特許請求の範囲内における改良が可能である。
【図１】
2017000726.tif 000003
【図２】
2017000726.tif 000004
【図３】
2017000726.tif 000005
【外国語明細書】
2017000726000001.pdf